(57)【要約】【課題】既存の通話時間情報を通話相手別に分類して提供することが可能な移動通信端末機の通話時間分類保存方法を提供する。【解決手段】通話の開始と同時にタイマーを駆動させて通話時間をカウントする段階と、通話が終了すると、タイマーを停止させ、その時までの通話時間を計算する段階と、通話相手を把握する段階と、計算された通話時間を当該通話相手との総通話時間に合算して保存する段階とを含んでなる。【選択図】図１
2005073241.tif 000002
【特許請求の範囲】
【請求項１】
通話の開始と同時にタイマーを駆動させて通話時間をカウントする段階と、
通話が終了すると、タイマーを停止させ、その時までの通話時間を計算する段階と、
通話相手を把握する段階と、
計算された通話時間を当該通話相手との総通話時間に合算して保存する段階とを含んでなることを特徴とする移動通信端末機の通話時間分類保存方法。
【請求項２】
計算された通話時間を当該通話相手との総通話時間に合算して保存する段階は、把握された通話相手の電話番号が、移動通信端末機内に保存されている住所録に在る場合に行うことを特徴とする請求項１記載の移動通信端末機の通話時間分類保存方法。
【請求項３】
前記方法は発信及び受信通話の両方ともに対して適用することを特徴とする請求項１記載の移動通信端末機の通話時間分類保存方法。
【請求項４】
計算された通話時間を通話相手との総通話時間に合算するとき、受信通話と発信通話を区分して合算することを特徴とする請求項３記載の移動通信端末機の通話時間分類保存方法。
【請求項５】
通話終了後に計算された通話時間を端末機内の総通話時間領域に合算して保存する段階をさらに含むことを特徴とする請求項１記載の移動通信端末機の通話時間分類保存方法。
【請求項６】
通話終了後に計算された通話時間を曜日別、時間帯別に分類して端末機内の曜日別、時間帯別の総通話時間領域に合算して保存する段階をさらに含むことを特徴とする請求項１記載の移動通信端末機の通話時間分類保存方法。
【請求項７】
計算された通話時間を曜日別、時間帯別に分類して合算・保存する段階は発信通話に対してのみ行うことを特徴とする請求項６記載の移動通信端末機の通話時間分類保存方法。
【請求項８】
通話相手別の総通話時間は一ヶ月毎に初期化されることを特徴とする請求項１記載の移動通信端末機の通話時間分類保存方法。
【発明の詳細な説明】
【技術分野】
【０００１】
本発明は、移動通信端末機の通話時間分類保存方法に関し、特に、通話相手別に通話時間を分類して保存する方法に関する。
【背景技術】
【０００２】
従来の移動通信端末機では、着信又は発信の通話に対する通話時間情報をユーザに提供している。より具体的に、従来の端末機では、着信と発信を含んだ全ての通話時間を累積した総通話時間だけでなく、着信総通話時間、発信総通話時間、最後の通話時間等といった通話時間情報を提供している。このように、従来の端末機は通話に対する時間的な情報のみをユーザに提供する。
【０００３】
ところが、ユーザが自分のみの通話パターンを確認して通話使用量の調節を行おうとするとき、通話時間に対する従来の情報提供方法は限界点をもつ。すなわち、主に通話する相手、その相手との通話時間、時間帯別と曜日別の通話時間等といったより詳細な通話時間情報を提供することができないので、ユーザのより詳細な通話時間に対する情報要求に応えられないという欠点を有する。
【発明の開示】
【発明が解決しようとする課題】
【０００４】
本発明は、かかる限界点を改善するためのもので、その目的は、通話相手別に通話時間を総通話時間、発信総通話時間、受信総通話時間に区分して保存し、曜日別、時間帯別に通話時間を分類して通話相手の情報領域に保存することにより、既存の通話時間情報を通話相手別に分類して提供することが可能な移動通信端末機の通話時間分類保存方法を提供することにある。
【課題を解決するための手段】
【０００５】
上記目的を達成するための本発明では、通話の開始と同時にタイマーを駆動させて通話時間をカウントし、通話が終了すると、タイマーを停止させ、その時までの通話時間を計算する。その後、通話相手を把握し、計算された通話時間を当該通話相手との総通話時間に合算して保存する。このような手続きは、把握された通話相手の電話番号が、移動通信端末機内の住所録にある場合に行うようにすることが好ましい。また、この手続きは発信及び受信通話の両方ともに対して適用することができる。
【０００６】
一方、計算された通話時間を通話相手との総通話時間に合算するとき、受信通話と発信通話を区分して合算することもできる。
【０００７】
通話終了後に計算された通話時間を端末機内の総通話時間領域に合算して保存するか、或いは通話終了後に計算された通話時間を曜日別、時間帯別に分類して端末機内の曜日別、時間帯別の総通話時間領域に合算して保存することもできる。計算された通話時間を曜日別、時間帯別に分類して合算・保存する段階は、発信通話に対してのみ行うようにすることができる。
【０００８】
一方、通話相手別の総通話時間を一ヶ月毎に初期化することにより、一ヶ月間の通話時間を把握することができる。
【発明の効果】
【０００９】
本発明は、通話相手別に通話時間を分類し、曜日別、時間帯別に通話時間を見せることにより、ユーザが自分の通話パターンを認知して通話使用量を調節し得るように助ける。これにより、ユーザが通話パターンを認知し、適切な料金制の選択と効率的な移動通信端末機の使用を図ることができる。
【発明を実施するための最良の形態】
【００１０】
以下、本発明の好適な実施例を添付図面に基づいて詳細に説明する。
【００１１】
図１は、本発明の実施例に係る、相手別に通話時間を分類して保存する過程を示す流れ図である。図５はこの分類保存手法が実装される移動通信端末の例を示している。ここでは、図５の構成例についてまず説明しておく。
【００１２】
図５において、この構成例の移動通信端末機は、入力部１１０、表示部１２０、メモリ１３０、制御部１４０、無線回路部１５０、スピーカ１６０、マイクロホン１７０などから構成される。制御部１４０は、移動通信端末機の全体動作を制御する役割を果たすのに加えて、図１等を参照して説明する各ステップを実現する機能ブロックを実現する。具体的には、制御部１４０は、通話相手判断部１４１、タイマー１４２、通話時間計算部１４３、通話時間分類部１４４などを構成する。もちろんこれら機能ブロックの各々を適宜に個別のハードウェアで構成しても良い。
【００１３】
入力部１１０は、ユーザが所望の機能を選択し或いは情報を入力する際に用いられるもので、キーパッド、ジョグシャトル、ポイントスティック、タッチスクリーンなど様々な素子が使用できる。
【００１４】
表示部１２０は、ユーザにいろいろの情報を見せるためのもので、ＬＣＤ(liquid crystal display)が主に用いられる。
【００１５】
メモリ１３０は、移動通信端末機の動作に必要なプログラムとデータを記憶しており、ＥＰＲＯＭ(Erasable Programmable Read Only Memory)、ＳＲＡＭ(Static Random Access Memory)、フラッシュメモリなど様々な素子が使用できる。
【００１６】
制御部１４０は、上述のとおり移動通信端末機の全体動作を制御する役割を果たす。制御部１４０は、マイクロプロセッサ又はＤＳＰ(Digital Signal Processor)などから構成できる。本発明において、制御部１４０は、上述のとおり、図１および図２に例示する処理を行なう。
【００１７】
無線回路部１５０は、無線で基地局と音声及び制御情報のやり取りを行えるようにするための回路である。無線回路部１５０は、外部の移動通信端末機が発送する呼信号をアンテナを介して受信し、これを制御部１４０に伝送し、或いはメモリ１３０に記憶されているデータをアンテナを介して発信者の電話機に伝送する機能を行う。
【００１８】
１６０はスピーカであり、１７０はマイクロホンである。
【００１９】
つぎに図１以降の図面を参照して動作を説明する。
【００２０】
移動通信端末機のユーザが着信又は発信通話を開始すると（Ｓ１００）、端末機（通話相手判断部１４１）は通話相手が誰なのかを判断する（Ｓ２００）。通話相手を判断する過程（Ｓ２００）は、端末機内におけるいろいろの過程を経て行われる。また、通話相手の判断過程（Ｓ２００）は通話の終了時に行ってもよい。
【００２１】
次に、この過程を、図２の通話相手を判断する流れ図によってさらに詳細に説明する。
【００２２】
まず、端末機は、識別可能な固有コーラＩＤである相手の電話番号を認識する（Ｓ２０１）。認識された電話番号を端末機内に保存されている住所録から検索し（Ｓ２０２）、住所録に通話相手の電話番号があるかを判断する（Ｓ２０３）。認識された通話相手の電話番号が住所録にある場合、端末機は住所録の電話番号に与えられた通話相手の名前を定義する（Ｓ２０４）。もし認識された電話番号が端末機内の住所録から検索されなければ、通話相手の名前を定義することができないので、相手別の通話時間を算出することができなくなる。これにより、端末機で相手別の通話時間を算出するために、着信と発信通話時に通話相手を判断しなければならない。
【００２３】
前記通話相手を判断する過程を経た後、端末機（例えば通話相手判断部１４１）は、通話時間をカウントするために端末機内のタイマーを作動させる（Ｓ３００）。着信又は発信通話が終了すると（Ｓ４００）、通話時間のカウントを中断するためにタイマーを停止させ（Ｓ５００）、カウントされた通話時間を計算する（Ｓ６００。通話時間計算部１４３）。タイマーを介して通話時間を計算する過程は、従来の通話時間保存方法と同一である。ところが、従来の方法とは異なり、本発明は計算された通話時間を通話相手別の受信、発信、総通話時間に分類し、全体的な通話時間を曜日別、時間帯別に分類する（Ｓ７００。通話時間分類部１４４）。
【００２４】
曜日別、時間帯別に分類して合算、保存することは、発信通話に対してのみ適用することも可能である。時間帯別には、例えば６：００〜１２：００は午前時間帯、１２：００〜１９：００は午後時間帯、１９：００〜２４：００は夜時間帯、２４：００〜６：００は深夜時間帯のように分類することができる。
【００２５】
前記いろいろの過程を経て分類された通話時間は、端末機メモリ内に通話時間の内訳を別途に保存することが可能な領域に保存されるが、保存領域は、図４ａの通話時間内訳の画面のように、通話相手の区分なしで全ての通話に対する分類された時間を保存する全体通話時間の内訳と、通話相手を区分して保存する相手別通話時間の内訳に分けられる。
【００２６】
全体通話時間の内訳は、図４ｂのように、一般的な受信、発信、総通話時間の内訳だけでなく、曜日別、時間帯別通話時間の内訳に区分し、分類された通話時間を保存する。曜日別と時間帯別に分類された通話時間は、図３ａと図３ｂのような表の形で端末機のメモリに保存される。また、相手別通話時間の内訳は、図３ｃのような表に、通話相手別に分類された通話時間を保存する。このように保存された通話時間は、一ヶ月を周期として初期化することが好ましい。
【００２７】
次に、本発明によって分類された通話時間を確認する方法を実施例によって詳細に説明する。
【００２８】
ユーザが、端末機の住所録に電話番号が保存されている例えば「山田太郎」という人との通話時間を確認したい場合には、図４ａの通話時間内訳メニューで所望の通話時間を確認することができる。
【００２９】
まず、相手別に通話時間内訳を見ると、図４ｃに示すように、一ヶ月間通話した相手が最も最近通話した順に並べられる。ユーザが最も最近通話した「山田太郎」との通話時間内訳を見たければ、「山田太郎」を選択して、図４ｄのようにその相手に対する受信、発信、総通話時間を含んだ通話時間内訳を確認することができる。もし、ユーザが「山田太郎」との通話のために発信すると、図３ｃの表の「山田太郎」領域の発信通話時間と総通話時間に通話時間が追加される。このように追加された「山田太郎」との一ヶ月間の発信通話時間を確認したければ、図４ｄで発信通話時間の内訳を選択して図４ｅのように発信通話時間を確認することができる。
【００３０】
また、「山田太郎」との通話時間は、図４ａのメニュー中の全体通話時間の内訳にも保存されるが、前記の通話が発信通話であれば、図３ｃの表の全体発信通話時間と総通話時間に追加される。「山田太郎」との発信通話が行われた曜日に基づき、図３ａの曜日別通話時間領域に「山田太郎」との発信通話時間が追加されて保存される。また、通話が行われた時間帯に基づき、図３ｂの時間帯別通話時間領域に通話時間が追加されて保存される。特に、図３ａと図３ｂに保存される通話時間は発信通話時間のみを意味し、もし受信通話が行われると、受信通話時間は、曜日別、時間帯別に分類して保存する過程を経ない。
【００３１】
これにより、ユーザは通話相手別に通話時間を分類して保存するとともに、曜日別、時間帯別に通話時間を分類して保存することができる。
【図面の簡単な説明】
【００３２】
【図１】通話相手別に通話時間を分類して保存する流れ図である。
【図２】通話相手を判断する流れ図である。
【図３ａ】分類された通話時間を保存するための表である。
【図３ｂ】分類された通話時間を保存するための表である。
【図３ｃ】分類された通話時間を保存するための表である。
【図４ａ】分類された通話時間を確認することが可能な実際画面例である。
【図４ｂ】分類された通話時間を確認することが可能な実際画面例である。
【図４ｃ】分類された通話時間を確認することが可能な実際画面例である。
【図４ｄ】分類された通話時間を確認することが可能な実際画面例である。
【図４ｅ】分類された通話時間を確認することが可能な実際画面例である。
【図５】通話時間を分類して保存する処理を行なうのに用いる移動通信端末機の例を説明する図である。
【符号の説明】
【００３３】
１４１      通話相手判断部
１４２      タイマー
１４３      通話時間計算部
１４４      通話時間分類部
【図１】
2005073241.tif 000003
【図２】
2005073241.tif 000004
【図３ａ】
2005073241.tif 000005
【図３ｂ】
2005073241.tif 000006
【図３ｃ】
2005073241.tif 000007
【図４ａ】
2005073241.tif 000008
【図４ｂ】
2005073241.tif 000009
【図４ｃ】
2005073241.tif 000010
【図４ｄ】
2005073241.tif 000011
【図４ｅ】
2005073241.tif 000012
【図５】
2005073241.tif 000013